(57)【要約】【課題】激しい動きを伴う３次元映像の画質低下を抑制すると共に、３次元映像の視聴者の眼精疲労に伴う頭痛等を軽減する、映像出力装置を実現する。【解決手段】３次元映像出力装置１０は、補間出力制御回路１２にて、第１左目用映像Ｌ１、第１左目用映像Ｌ１および第２左目用映像Ｌ２を補間するための左目用補間映像Ｌ２１、第１右目用映像Ｒ１および第２右目用映像Ｒ２を補間するための右目用補間映像Ｒ２１、および第２右目用映像Ｒ２の順序で表示される、３次元映像を生成して、３次元映像信号として出力する。【選択図】図１
2012015862.tif 000002
【特許請求の範囲】
【請求項１】
視聴者の左目に視聴させるための、複数の連続するフレームから成る左目用映像、および、視聴者の右目に視聴させるための、複数の連続するフレームから成る右目用映像から、視聴者に立体視させるための３次元映像を生成し、該生成した３次元映像を表す３次元映像信号を出力する映像出力部を備える映像出力装置であって、
上記映像出力部は、
上記左目用映像に含まれる連続する２つのフレームの間に位置する左目用補間フレームを生成すると共に、
上記右目用映像に含まれる連続する２つのフレームの間に位置する右目用補間フレームを生成し、さらに、
上記左目用映像に含まれるフレーム、上記右目用映像に含まれるフレーム、上記左目用補間フレーム、および上記右目用補間フレームを、所定の順序に並べて成る上記３次元映像を生成することを特徴とする映像出力装置。
【請求項２】
上記左目用補間フレームは、上記左目用映像に含まれる連続する２つのフレームである、第１左目フレームおよび第２左目フレームから生成されるものであり、
上記右目用補間フレームは、上記右目用映像に含まれる連続する２つのフレームである、第１右目フレームおよび第２右目フレームから生成されるものであり、
上記映像出力部は、上記第１左目フレーム、上記左目用補間フレーム、上記右目用補間フレーム、および上記第２右目フレームを順に並べて成るフレーム群を含む上記３次元映像を生成することを特徴とする請求項１に記載の映像出力装置。
【請求項３】
上記左目用補間フレームは、上記左目用映像に含まれる連続する２つのフレームである、第１左目フレームおよび第２左目フレームから生成されるものであり、
上記右目用補間フレームは、上記右目用映像に含まれる連続する２つのフレームである、第１右目フレームおよび第２右目フレームから生成されるものであり、
上記映像出力部は、上記第１左目フレーム、上記左目用補間フレーム、上記第１右目フレーム、および上記右目用補間フレームを順に並べて成るフレーム群を含む上記３次元映像を生成することを特徴とする請求項１に記載の映像出力装置。
【請求項４】
上記左目用補間フレームは、上記第１左目フレームを表す映像信号と、上記第２左目フレームを表す映像信号とを加算平均して得られる映像信号により表され、
上記右目用補間フレームは、上記第１右目フレームを表す映像信号と、上記第２右目フレームを表す映像信号とを加算平均して得られる映像信号により表されるものであることを特徴とする請求項２または３に記載の映像出力装置。
【請求項５】
上記左目用映像および上記右目用映像が含まれる映像信号から、上記左目用映像および上記右目用映像のそれぞれを生成し、該生成した上記左目用映像および上記右目用映像を上記映像出力部に対して出力する映像生成部をさらに備えることを特徴とする請求項１〜４のいずれか１項に記載の映像出力装置。
【請求項６】
上記映像生成部に対して入力される上記映像信号の周波数は、６０ヘルツであり、
上記３次元映像信号の周波数は、２４０ヘルツであることを特徴とする請求項５に記載の映像出力装置。
【請求項７】
上記映像出力部は、上記３次元映像信号を、上記３次元映像を表示させるための表示パネルに対して出力することを特徴とする請求項１〜６のいずれか１項に記載の映像出力装置。
【発明の詳細な説明】
【技術分野】
【０００１】
本発明は、３次元映像処理装置に関する発明であり、特に、３次元映像をより高画質で表示することが可能な映像出力装置に関する発明である。
【背景技術】
【０００２】
現在、３次元映像表示装置は、映画館等の商用施設での普及が促進されていると共に、家庭用のテレビジョン受像機への搭載が始まろうとしている。
【０００３】
図９に示すとおり、３次元映像処理において、入力映像信号９１は例えば、規格制定団体であるＨＤＭＩ（High-Definition Multimedia Interface）が規定した放送規格のサイド・バイ・サイド方式、または、パッケージメディアであるBlu-ray Disc規格のトップ・アンド・ボトム方式で伝送される。伝送された入力映像信号９１を受けた３次元映像表示装置９０は、例えば３次元映像出力方式の１つであるシャッターメガネ方式を適用する場合であれば、入力映像信号９１に対してフレームシーケンシャル方式への変換処理を施した後、３次元映像信号を出力する。そして、視聴者は、シャッターメガネ９２を着用して、該３次元映像信号から得られる３次元映像を視聴する。
【０００４】
ここで、フレームシーケンシャル方式とは、３次元映像におけるフレームのそれぞれを構成する、左目用映像Ｌと右目用映像Ｒとを、フレーム単位で交互に出力する方式である。特に、フレームシーケンシャル方式には、クロストークの発生を抑制するために、左目用映像Ｌと右目用映像Ｒとを、２フレーム毎に切り替えて出力する方式、すなわち、図９に示すとおり、左目用映像Ｌ、左目用映像Ｌ、右目用映像Ｒ、右目用映像Ｒ、・・・の順序で出力する方式がある。
【０００５】
図８に示すとおり、従来の３次元映像出力装置（映像出力装置）８０は、３Ｄ（three dimension：３次元）倍速処理部８１と、３Ｄ出力タイミング制御回路８２と、メモリ８３と、を備える構成である。図８に示すとおり、３次元映像出力装置８０は、左目用映像（Ｌ１、Ｌ２、・・・）と右目用映像（Ｒ１、Ｒ２、・・・）とにより構成される３次元映像信号を、第１の左目用映像Ｌ１、第１の左目用映像Ｌ１、第１の右目用映像Ｒ１、第１の右目用映像Ｒ１、第２の左目用映像Ｌ２、第２の左目用映像Ｌ２、第２の右目用映像Ｒ２、第２の右目用映像Ｒ２、・・・の順序で出力する。
【０００６】
また、３Ｄ倍速処理部８１の一例としては、特許文献１に開示された技術が挙げられる。特許文献１に開示された立体テレビジョン再生装置は、送像側の装置が、１２０Ｈｚの３Ｄ映像信号を伸張して、６０Ｈｚ（２フレーム単位）の信号として出力し、受像側の装置が、上記６０Ｈｚの信号を圧縮して、１２０Ｈｚの３Ｄ映像信号を得る構成である。
【先行技術文献】
【特許文献】
【０００７】
【特許文献１】特開平８−２８００４３号公報（１９９６年１０月２２日公開）
【発明の概要】
【発明が解決しようとする課題】
【０００８】
３次元映像出力装置８０は、上述した順序で、上記３次元映像信号の出力を行うが、この場合、スポーツ等の、激しい動きを伴う３次元映像の表示を行うと、動きを滑らかに表示することが困難である。
【０００９】
この結果、３次元映像出力装置８０では、表示される３次元映像の画質が低下したり、３次元映像の視聴者が、眼精疲労に伴う頭痛等を発生したりしてしまう虞があるという問題が発生する。特許文献１に開示された技術においても同様である。
【００１０】
本発明は、上記の問題に鑑みて為された発明であり、その目的は、激しい動きを伴う３次元映像の画質低下を抑制すると共に、３次元映像の視聴者の眼精疲労に伴う頭痛等を軽減する、映像出力装置を提供することにある。
【課題を解決するための手段】
【００１１】
本発明の映像出力装置は、上記の問題を解決するために、視聴者の左目に視聴させるための、複数の連続するフレームから成る左目用映像、および、視聴者の右目に視聴させるための、複数の連続するフレームから成る右目用映像から、視聴者に立体視させるための３次元映像を生成し、該生成した３次元映像を表す３次元映像信号を出力する映像出力部を備える映像出力装置であって、上記映像出力部は、上記左目用映像に含まれる連続する２つのフレームの間に位置する左目用補間フレームを生成すると共に、上記右目用映像に含まれる連続する２つのフレームの間に位置する右目用補間フレームを生成し、さらに、上記左目用映像に含まれるフレーム、上記右目用映像に含まれるフレーム、上記左目用補間フレーム、および上記右目用補間フレームを、所定の順序に並べて成る上記３次元映像を生成することを特徴としている。
【００１２】
ここで、映像出力装置への入力映像信号が例えば、サイド・バイ・サイド方式、または、トップ・アンド・ボトム方式で伝送される場合、この入力映像信号は、左目用映像と右目用映像とを含んでいると解釈することができる。
【００１３】
また、「左目用補間フレーム」とは、フレーム単位で入力される左目用映像に含まれる、連続する２つのフレームを参照した補間を行った結果得られた映像を含むフレームを意味する。「右目用補間フレーム」とは、フレーム単位で入力される右目用映像に含まれる、連続する２つのフレームを参照した補間を行った結果得られた映像を含むフレームを意味する。
【００１４】
上記の構成によれば、映像出力部は、左目用映像に含まれるフレームに加えて左目用補間フレームを用いて、また、右目用映像に含まれるフレームに加えて右目用補間フレームを用いて、３次元映像を生成する。これにより、映像出力装置は、激しい動きを伴う３次元映像の表示を行うときであっても、動きを滑らかに表示することができるようになるため、３次元映像の画質低下を抑制すると共に、３次元映像の視聴者の眼精疲労に伴う頭痛等を軽減することが可能となる。
【００１５】
また、本発明の映像出力装置は、上記左目用補間フレームは、上記左目用映像に含まれる連続する２つのフレームである、第１左目フレームおよび第２左目フレームから生成されるものであり、上記右目用補間フレームは、上記右目用映像に含まれる連続する２つのフレームである、第１右目フレームおよび第２右目フレームから生成されるものであり、上記映像出力部は、上記第１左目フレーム、上記左目用補間フレーム、上記右目用補間フレーム、および上記第２右目フレームを順に並べて成るフレーム群を含む上記３次元映像を生成することを特徴としている。また、本発明の映像出力装置は、上記左目用補間フレームは、上記左目用映像に含まれる連続する２つのフレームである、第１左目フレームおよび第２左目フレームから生成されるものであり、上記右目用補間フレームは、上記右目用映像に含まれる連続する２つのフレームである、第１右目フレームおよび第２右目フレームから生成されるものであり、上記映像出力部は、上記第１左目フレーム、上記左目用補間フレーム、上記第１右目フレーム、および上記右目用補間フレームを順に並べて成るフレーム群を含む上記３次元映像を生成することを特徴としている。
【００１６】
上記の両構成によれば、第１左目フレームと第２左目フレームとの間に左目用補間フレームが、第１右目フレームと第２右目フレームとの間に右目用補間フレームが、それぞれ挿入されるため、激しい動きを伴う３次元映像の表示を行うときであっても、動きを滑らかに表示することができる。
【００１７】
また、本発明の映像出力装置は、上記左目用補間フレームは、上記第１左目フレームを表す映像信号と、上記第２左目フレームを表す映像信号とを加算平均して得られる映像信号により表され、上記右目用補間フレームは、上記第１右目フレームを表す映像信号と、上記第２右目フレームを表す映像信号とを加算平均して得られる映像信号により表されるものであることを特徴としている。
【００１８】
上記の構成によれば、左目用補間フレームを第１および第２左目フレームを用いて、また、右目用補間フレームを第１および第２右目フレームを用いて、容易に生成することができる。
【００１９】
また、本発明の映像出力装置は、上記左目用映像および上記右目用映像が含まれる映像信号から、上記左目用映像および上記右目用映像のそれぞれを生成し、該生成した上記左目用映像および上記右目用映像を上記映像出力部に対して出力する映像生成部をさらに備えることを特徴としている。
【００２０】
上記の構成によれば、左目用映像と右目用映像とのそれぞれを容易に生成することができる。
【００２１】
また、本発明の映像出力装置は、上記映像生成部に対して入力される上記映像信号の周波数は、６０ヘルツであり、上記３次元映像信号の周波数は、２４０ヘルツであることを特徴としている。
【００２２】
上記の構成によれば、サイド・バイ・サイド方式、または、トップ・アンド・ボトム方式で伝送された入力映像信号に対して、フレームシーケンシャル方式への変換処理を行うことができる。
【００２３】
また、本発明の映像出力装置は、上記映像出力部は、上記３次元映像信号を、上記３次元映像を表示させるための表示パネルに対して出力することを特徴としている。
【００２４】
上記の構成によれば、本発明の映像出力装置から出力された３次元映像信号が供給された表示パネルは、該３次元映像信号に基づく３次元映像を表示することができる。従って、該表示パネルは、激しい動きを伴う３次元映像の表示を行うときであっても、動きを滑らかに表示することができるようになるため、３次元映像の画質低下を抑制すると共に、３次元映像の視聴者の眼精疲労に伴う頭痛等を軽減することが可能となる。
【発明の効果】
【００２５】
以上のとおり、本発明の映像出力装置は、上記の問題を解決するために、視聴者の左目に視聴させるための、複数の連続するフレームから成る左目用映像、および、視聴者の右目に視聴させるための、複数の連続するフレームから成る右目用映像から、視聴者に立体視させるための３次元映像を生成し、該生成した３次元映像を表す３次元映像信号を出力する映像出力部を備える映像出力装置であって、上記映像出力部は、上記左目用映像に含まれる連続する２つのフレームの間に位置する左目用補間フレームを生成すると共に、上記右目用映像に含まれる連続する２つのフレームの間に位置する右目用補間フレームを生成し、さらに、上記左目用映像に含まれるフレーム、上記右目用映像に含まれるフレーム、上記左目用補間フレーム、および上記右目用補間フレームを、所定の順序に並べて成る上記３次元映像を生成する構成である。
【００２６】
従って、激しい動きを伴う３次元映像の表示を行うときであっても、３次元映像の画質低下を抑制すると共に、３次元映像の視聴者の眼精疲労に伴う頭痛等を軽減することが可能となるという効果を奏する。
【図面の簡単な説明】
【００２７】
【図１】本発明の一実施の形態に係る映像出力装置の基本構成を示すブロック図である。
【図２】本発明の別の実施の形態に係る映像出力装置の基本構成を示すブロック図である。
【図３】本発明に係る映像生成部の具体的な構成例を示すブロック図である。
【図４】本発明に係る映像出力部の具体的な構成例を示すブロック図である。
【図５】図４に示す映像出力部による信号処理の流れを示すタイミングチャートである。
【図６】本発明に係る映像出力部の別の具体的な構成例を示すブロック図である。
【図７】図６に示す映像出力部による信号処理の流れを示すタイミングチャートである。
【図８】従来技術に係る映像出力装置の基本構成を示すブロック図である。
【図９】３次元映像処理の一般的な流れを示す図である。
【発明を実施するための形態】
【００２８】
以下に、本発明を実施するための形態を、図面を参照しながら説明する。
【００２９】
〔実施の形態１〕
（３次元映像出力装置１０の基本構成）
図１は、本発明の一実施の形態に係る３次元映像出力装置１０の基本構成を示すブロック図である。
【００３０】
図１に示すとおり、３次元映像出力装置（映像出力装置）１０は、３Ｄ倍速処理部（映像生成部）１１と、３Ｄ補間および出力タイミング制御回路（映像出力部）１２とを備える構成である。以下、３Ｄ補間および出力タイミング制御回路１２は便宜上、補間出力制御回路１２と称する。
【００３１】
（３次元映像出力装置１０における信号処理の流れの概略）
図１を参照して、３次元映像出力装置１０における信号処理の流れを説明する。
【００３２】
なお、ここでは一例として、周知のサイド・バイ・サイド方式（フレーム単位）で伝送される信号であって、その周波数が６０Ｈｚ（ヘルツ）である入力映像信号が、３次元映像出力装置１０に対して入力される場合についての説明を行う。
【００３３】
つまり、上記入力映像信号には、毎秒６０フレームで伝送されるフレームの１つにつき、それぞれが視聴者に立体視させるための３次元映像の元となり、視聴者の左目に視聴させるための複数の連続するフレームから成る左目用映像と、視聴者の右目に視聴させるための複数の連続するフレームから成る右目用映像との、１フレーム分ずつの組み合わせが含まれていると解釈することができる。各実施の形態において、該入力映像信号におけるｎ（ｎは任意の自然数）番目のフレームに含まれている左目用映像はＬｎ´（すなわち、１番目のフレームから順番にＬ１´、Ｌ２´、Ｌ３´、・・・）であり、該入力映像信号におけるｎ番目のフレームに含まれている右目用映像はＲｎ´（すなわち、１番目のフレームから順番にＲ１´、Ｒ２´、Ｒ３´、・・・）であるものとする。
【００３４】
周波数が６０Ｈｚである上記入力映像信号は、３Ｄ倍速処理部１１に対して入力される。３Ｄ倍速処理部１１は、この入力映像信号に基づいて、左目用映像Ｌｎ´に対応する左半分の映像を参照して、左目用映像Ｌｎ´の水平（ライン）方向の解像度を補間する処理を行うことで左目用映像Ｌｎ（すなわち、１番目のフレームから順番にＬ１、Ｌ２、Ｌ３、・・・）を生成し、映像信号として、信号線１４Ａから出力する。同様に、３Ｄ倍速処理部１１は、この入力映像信号に基づいて、右目用映像Ｒｎ´に対応する右半分の映像を参照して、右目用映像Ｒｎ´の水平方向の解像度を補間する処理を行うことで右目用映像Ｒｎ（すなわち、１番目のフレームから順番にＲ１、Ｒ２、Ｒ３、・・・）を生成し、映像信号として、信号線１４Ａと異なる信号線１４Ｂから出力する。
【００３５】
左目用映像Ｌｎは、それぞれ、左目用映像Ｌｎ´のそれぞれと１対１で対応しており、表示すべき３次元映像のｎ番目のフレームにおける左目用映像と同等であり、本発明に係る「左目用映像」に対応する。右目用映像Ｒｎは、それぞれ、右目用映像Ｒｎ´のそれぞれと１対１で対応しており、表示すべき３次元映像のｎ番目のフレームにおける右目用映像と同等であり、本発明に係る「右目用映像」に対応する。
【００３６】
信号線１４Ａから出力された左目用映像Ｌｎの映像信号、および信号線１４Ｂから出力された右目用映像Ｒｎの映像信号はいずれも、補間出力制御回路１２に対して入力される。補間出力制御回路１２は、入力されたこれらの各映像信号を、表示すべき３次元映像を表す２４０Ｈｚの３次元映像信号へと変換して、３次元映像出力装置１０に対して接続されている、表示パネル１５に対して出力する。
【００３７】
表示パネル１５は、３次元映像出力装置１０から供給された３次元映像信号に応じた３次元映像を表示するものであり、液晶表示パネル、プラズマディスプレイ、および有機ＥＬ（Electro Luminescence：電界発光）表示パネル等が挙げられる。
【００３８】
ここで、従来、上記３次元映像信号は、上述したフレームシーケンシャル方式に適合するように、すなわち、１番目のフレームにおける左目用映像である第１左目用映像Ｌ１、第１左目用映像Ｌ１、１番目のフレームにおける右目用映像である第１右目用映像Ｒ１、第１右目用映像Ｒ１、２番目のフレームにおける左目用映像である第２左目用映像Ｌ２、第２左目用映像Ｌ２、２番目のフレームにおける右目用映像である第２右目用映像Ｒ２、第２右目用映像Ｒ２、・・・の順序で上記３次元映像の表示を行うように、生成および出力されていた（図８参照）。
【００３９】
但し、単に上記の順序に従った３次元映像信号を出力すると、スポーツ等の激しい動きを伴う３次元映像の表示を行うときに、動きを滑らかに表示することができず、該３次元映像の視聴者が、眼精疲労に伴う頭痛等を発生してしまう虞があった。
【００４０】
そこで、３次元映像出力装置１０は、補間出力制御回路１２にて、第１左目用映像（第１左目フレーム）Ｌ１、第１左目用映像Ｌ１および第２左目用映像（第２左目フレーム）Ｌ２を補間するための左目用補間映像（左目用補間フレーム）Ｌ２１、第１右目用映像（第１右目フレーム）Ｒ１および第２右目用映像（第２右目フレーム）Ｒ２を補間するための右目用補間映像（右目用補間フレーム）Ｒ２１、第２右目用映像Ｒ２の順序で表示される、上記３次元映像を生成して、３次元映像信号として出力（表示パネル１５に対して供給）する構成となっている。同様に、ｎが２以上である場合、３次元映像出力装置１０は、補間出力制御回路１２にて、左目用映像（第１左目フレーム）Ｌｎ、左目用映像Ｌｎおよび左目用映像（第２左目フレーム）Ｌ（ｎ＋１）を補間するための左目用補間映像（左目用補間フレーム）Ｌ（ｎ＋１）ｎ、右目用映像（第１右目フレーム）Ｒｎおよび右目用映像（第２右目フレーム）Ｒ（ｎ＋１）を補間するための右目用補間映像（右目用補間フレーム）Ｒ（ｎ＋１）ｎ、右目用映像Ｒ（ｎ＋１）の順序で表示される、上記３次元映像を生成して、３次元映像信号として出力（表示パネル１５に対して供給）する構成となっている。上記のように構成することによって、隣接する２つの左目用映像間に、これらの各左目用映像を参照した補間により得られた左目用補間映像を挿入し、また、隣接する２つの右目用映像間に、これらの各右目用映像を参照した補間により得られた右目用補間映像を挿入することにより、激しい動きを伴う３次元映像の表示を行うときに、動きを滑らかに表示することを可能としている。さらに、上記のように構成することによって、３次元映像の画質低下を抑制すると共に、３次元映像の視聴者の眼精疲労に伴う頭痛等を軽減することを可能としている。
【００４１】
（３次元映像出力装置１０における信号処理の流れの詳細）
次に、図３〜図５を参照して、３次元映像出力装置１０における信号処理の流れを、より詳細に説明する。
【００４２】
図３は、３Ｄ倍速処理部１１の具体的な構成例を示すブロック図である。
【００４３】
図３に示すとおり、３Ｄ倍速処理部１１は、フレームメモリ３１と、解像度補間回路（Ｌ）３２と、解像度補間回路（Ｒ）３３とを備える構成である。解像度補間回路（Ｌ）３２は、左目用映像Ｌｎに関する処理が行われるものであり、解像度補間回路（Ｒ）３３は、右目用映像Ｒｎに関する処理が行われるものである。
【００４４】
３Ｄ倍速処理部１１への上記入力映像信号は、フレームメモリ３１に対して入力される。フレームメモリ３１は、入力された該入力映像信号に含まれる、左目用映像Ｌｎ´と右目用映像Ｒｎ´とのそれぞれを、フレーム単位で格納する。フレームメモリ３１からの出力映像信号は、フレーム単位で出力され、かつ、左目用映像Ｌｎ´に関する情報が解像度補間回路（Ｌ）３２により、右目用映像Ｒｎ´に関する情報が解像度補間回路（Ｒ）３３により、それぞれ読み出される。
【００４５】
解像度補間回路（Ｌ）３２は、読み出して得られた左目用映像Ｌｎ´に関する情報（左半分の映像）を参照して、左目用映像Ｌｎ´の水平方向の解像度を補間する処理を行うことで左目用映像Ｌｎを生成する。同様に、解像度補間回路（Ｒ）３３は、読み出して得られた右目用映像Ｒｎ´に関する情報（右半分の映像）を参照して、右目用映像Ｒｎ´の水平方向の解像度を補間する処理を行うことで右目用映像Ｒｎを生成する。
【００４６】
ここで、上記の、水平方向の解像度を補間する処理の一例としては、対応するフレームにおける左目用映像または右目用映像に関して、互いに隣り合う２つの画素の加重平均を求め、求めた加重平均値を該２つの画素の間に挿入して、補間を行う処理が挙げられる。このような処理を行う回路は、周知の技術によって実現可能であるため、解像度補間回路（Ｌ）３２および解像度補間回路（Ｒ）３３のブロック内の構成および機能については、詳細な説明を省略する。
【００４７】
解像度補間回路（Ｌ）３２が生成した左目用映像Ｌｎの映像信号は、信号線１４Ａから出力される。解像度補間回路（Ｒ）３３が生成した右目用映像Ｒｎの映像信号は、信号線１４Ｂから出力される。
【００４８】
図４は、補間出力制御回路１２の具体的な構成例を示すブロック図である。
【００４９】
図５は、補間出力制御回路１２による信号処理の流れを示すタイミングチャートである。
【００５０】
図４に示すとおり、補間出力制御回路１２は、１１個のフリップフロップＦＦ１〜ＦＦ１１と、３個のインバータＩ１〜Ｉ３と、加算平均回路（Ｌ）４２と、加算平均回路（Ｒ）４３とを備える構成である。
【００５１】
フリップフロップＦＦ１〜ＦＦ１１はいずれも、周知の一般的なＤ−ＦＦ（Delay Flip-Flop）であり、補間出力制御回路１２において使用していない、出力端Ｑからの出力信号の反転信号に関連する部分について、図示が省略されている。また、各フリップフロップＦＦ１〜ＦＦ１１において、（Ｌ）の添え字が付されたものは、左目用映像Ｌｎに関する処理が行われるものであり、（Ｒ）の添え字が付されたものは、右目用映像Ｒｎに関する処理が行われるものであり、（Ｌ）の添え字も（Ｒ）の添え字も付されていないものは、左目用映像Ｌｎおよび右目用映像Ｒｎの両方に関する処理が行われるものである。
【００５２】
加算平均回路（Ｌ）４２および加算平均回路（Ｒ）４３はいずれも、一方の入力端Ａに入力された信号と他方の入力端Ｂに入力された信号との加算平均を求め、出力端Ｑから出力する、周知の一般的な加算平均回路である。加算平均回路（Ｌ）４２は、左目用映像Ｌｎに関する処理が行われるものであり、加算平均回路（Ｒ）４３は、右目用映像Ｒｎに関する処理が行われるものである。
【００５３】
また、補間出力制御回路１２に対しては、図示しない各クロック源から、周波数６０Ｈｚのクロックパルス（以下、「クロック」と称する）、周波数１２０Ｈｚのクロック、および周波数２４０Ｈｚのクロックが供給されている。
【００５４】
周波数６０Ｈｚのクロックは、フリップフロップＦＦ１、ＦＦ２、ＦＦ４、ＦＦ６、ＦＦ７、およびＦＦ９（の各クロック入力端ＣＫ）、ならびに、インバータＩ１およびＩ３に対して供給される。インバータＩ１は、供給された周波数６０Ｈｚのクロックに対して論理反転処理を施し、フリップフロップＦＦ３（のクロック入力端ＣＫ）に対して供給する。インバータＩ３は、供給された周波数６０Ｈｚのクロックに対して論理反転処理を施し、フリップフロップＦＦ８（のクロック入力端ＣＫ）に対して供給する。
【００５５】
周波数１２０Ｈｚのクロックは、フリップフロップＦＦ１０（のクロック入力端ＣＫ）、ならびに、インバータＩ２に対して供給される。インバータＩ２は、供給された周波数１２０Ｈｚのクロックに対して論理反転処理を施し、フリップフロップＦＦ５（のクロック入力端ＣＫ）に対して供給する。
【００５６】
周波数２４０Ｈｚのクロックは、フリップフロップＦＦ１１（のクロック入力端ＣＫ）に対して供給される。
【００５７】
補間出力制御回路１２への、信号線１４Ａからの左目用映像Ｌｎの映像信号（図５のチャートＬｎ参照）は、フリップフロップＦＦ１のデータ入力端Ｄに対して供給される。なお、ここで言う左目用映像Ｌｎとは、図５に示すＬ１、Ｌ２、Ｌ３、・・・を意味しており、その映像信号の周波数は、上記３次元映像出力装置１０への入力映像信号と同じ６０Ｈｚである。
【００５８】
フリップフロップＦＦ１は、データ入力端Ｄに対して供給された左目用映像Ｌｎの映像信号を、周波数６０Ｈｚのクロック（図５のチャートＣＫ６０Ｈｚ参照）に従って保持し、同クロックの立ち上がりのタイミングにおいて、出力端Ｑから出力する（図５のチャートＦＦ１：Ｑ参照）。フリップフロップＦＦ１の出力端Ｑから出力された信号は、フリップフロップＦＦ２のデータ入力端Ｄ、ならびに、加算平均回路（Ｌ）４２の一方の入力端Ａに対して供給される。
【００５９】
フリップフロップＦＦ２は、データ入力端Ｄに対して供給された、フリップフロップＦＦ１の出力端Ｑから出力された信号を、上記周波数６０Ｈｚのクロックに従って保持し、同クロックの立ち上がりのタイミングにおいて、出力端Ｑから出力する（図５のチャートＦＦ２：Ｑ参照）。このとき、フリップフロップＦＦ２の出力端Ｑから出力された信号は、フリップフロップＦＦ１の出力端Ｑから出力された信号に対して、同クロックの１周期分遅延された信号となって、フリップフロップＦＦ３のデータ入力端Ｄ、ならびに、加算平均回路（Ｌ）４２の他方の入力端Ｂに対して供給される。
【００６０】
そして、加算平均回路（Ｌ）４２は、フリップフロップＦＦ１の出力端Ｑから出力された信号（一方の入力端Ａに入力された信号）とフリップフロップＦＦ２の出力端Ｑから出力された信号（他方の入力端Ｂに入力された信号）との加算平均を求め、映像信号としての左目用補間映像Ｌ（ｎ＋１）ｎとして、出力端Ｑから出力する。なお、ここで言う左目用補間映像Ｌ（ｎ＋１）ｎとは、図５に示すＬ２１、Ｌ３２、Ｌ４３、・・・を意味している。加算平均回路（Ｌ）４２の出力端Ｑから出力された左目用補間映像Ｌ（ｎ＋１）ｎは、フリップフロップＦＦ４のデータ入力端Ｄに対して供給される。
【００６１】
フリップフロップＦＦ１およびＦＦ２、ならびに、加算平均回路（Ｌ）４２による以上の処理は、換言すれば、以下のとおりである。
【００６２】
すなわち、まず、映像信号としてのｎフレーム目の左目用映像Ｌｎが、フリップフロップＦＦ１に対して入力されると、上記周波数６０Ｈｚのクロックに応じて、フリップフロップＦＦ１は、左目用映像ＬｎをフリップフロップＦＦ２に対して出力する。次に、同映像信号としてのｎ＋１フレーム目の左目用映像Ｌ（ｎ＋１）が、フリップフロップＦＦ１に対して入力されると、上記周波数６０Ｈｚのクロックに応じて、フリップフロップＦＦ１は左目用映像Ｌ（ｎ＋１）を加算平均回路（Ｌ）４２に対して出力すると共に、フリップフロップＦＦ２は遅延された左目用映像Ｌｎを加算平均回路（Ｌ）４２に対して出力する。加算平均回路（Ｌ）４２は、同じタイミングで入力された、左目用映像Ｌｎと左目用映像Ｌ（ｎ＋１）との加算平均値を求め、映像信号としての左目用補間映像Ｌ（ｎ＋１）ｎとして出力する。
【００６３】
フリップフロップＦＦ３は、データ入力端Ｄに対して供給された、フリップフロップＦＦ２の出力端Ｑから出力された信号を、上記周波数６０ＨｚのクロックがインバータＩ１により論理反転された信号に従って保持し、同信号の立ち上がりのタイミングにおいて、出力端Ｑから出力する（図５のチャートＦＦ３：Ｑ参照）。フリップフロップＦＦ３の出力端Ｑから出力された信号は、フリップフロップＦＦ５のデータ入力端Ｄに対して供給される。
【００６４】
フリップフロップＦＦ４は、データ入力端Ｄに対して供給された、加算平均回路（Ｌ）４２の出力端Ｑから出力された左目用補間映像Ｌ（ｎ＋１）ｎの映像信号を、上記周波数６０Ｈｚのクロックに従って保持し、同クロックの立ち上がりのタイミングにおいて、出力端Ｑから出力する（図５のチャートＦＦ４：Ｑ参照）。フリップフロップＦＦ４の出力端Ｑから出力された信号は、フリップフロップＦＦ１０のデータ入力端Ｄに対して供給される。
【００６５】
同様に、補間出力制御回路１２への、信号線１４Ｂからの右目用映像Ｒｎの映像信号（図５のチャートＲｎ参照）は、フリップフロップＦＦ６のデータ入力端Ｄに対して供給される。なお、ここで言う右目用映像Ｒｎとは、図５に示すＲ１、Ｒ２、Ｒ３、・・・を意味しており、その映像信号の周波数は、上記３次元映像出力装置１０への入力映像信号と同じ６０Ｈｚである。
【００６６】
フリップフロップＦＦ６は、データ入力端Ｄに対して供給された右目用映像Ｒｎの映像信号を、上記周波数６０Ｈｚのクロックに従って保持し、同クロックの立ち上がりのタイミングにおいて、出力端Ｑから出力する（図５のチャートＦＦ６：Ｑ参照）。フリップフロップＦＦ６の出力端Ｑから出力された信号は、フリップフロップＦＦ７のデータ入力端Ｄ、ならびに、加算平均回路（Ｒ）４３の一方の入力端Ａに対して供給される。
【００６７】
フリップフロップＦＦ７は、データ入力端Ｄに対して供給された、フリップフロップＦＦ６の出力端Ｑから出力された信号を、上記周波数６０Ｈｚのクロックに従って保持し、同クロックの立ち上がりのタイミングにおいて、出力端Ｑから出力する（図５のチャートＦＦ７：Ｑ参照）。このとき、フリップフロップＦＦ７の出力端Ｑから出力された信号は、フリップフロップＦＦ６の出力端Ｑから出力された信号に対して、同クロックの１周期分遅延された信号となって、フリップフロップＦＦ８のデータ入力端Ｄ、ならびに、加算平均回路（Ｒ）４３の他方の入力端Ｂに対して供給される。
【００６８】
そして、加算平均回路（Ｒ）４３は、フリップフロップＦＦ６の出力端Ｑから出力された信号（一方の入力端Ａに入力された信号）とフリップフロップＦＦ７の出力端Ｑから出力された信号（他方の入力端Ｂに入力された信号）との加算平均を求め、映像信号としての右目用補間映像Ｒ（ｎ＋１）ｎとして、出力端Ｑから出力する。なお、ここで言う右目用補間映像Ｒ（ｎ＋１）ｎとは、図５に示すＲ２１、Ｒ３２、Ｒ４３、・・・を意味している。加算平均回路（Ｒ）４３の出力端Ｑから出力された右目用補間映像Ｒ（ｎ＋１）ｎは、フリップフロップＦＦ９のデータ入力端Ｄに対して供給される。
【００６９】
フリップフロップＦＦ６およびＦＦ７、ならびに、加算平均回路（Ｒ）４３による以上の処理は、換言すれば、以下のとおりである。
【００７０】
すなわち、まず、映像信号としてのｎフレーム目の右目用映像Ｒｎが、フリップフロップＦＦ６に対して入力されると、上記周波数６０Ｈｚのクロックに応じて、フリップフロップＦＦ６は、右目用映像ＲｎをフリップフロップＦＦ７に対して出力する。次に、同映像信号としてのｎ＋１フレーム目の右目用映像Ｒ（ｎ＋１）が、フリップフロップＦＦ６に対して入力されると、上記周波数６０Ｈｚのクロックに応じて、フリップフロップＦＦ６は右目用映像Ｒ（ｎ＋１）を加算平均回路（Ｒ）４３に対して出力すると共に、フリップフロップＦＦ７は遅延された右目用映像Ｒｎを加算平均回路（Ｒ）４３に対して出力する。加算平均回路（Ｒ）４３は、同じタイミングで入力された、右目用映像Ｒｎと右目用映像Ｒ（ｎ＋１）との加算平均値を求め、映像信号としての右目用補間映像Ｒ（ｎ＋１）ｎとして出力する。
【００７１】
フリップフロップＦＦ８は、データ入力端Ｄに対して供給された、フリップフロップＦＦ７の出力端Ｑから出力された信号を、上記周波数６０ＨｚのクロックがインバータＩ３により論理反転された信号に従って保持し、同信号の立ち上がりのタイミングにおいて、出力端Ｑから出力する（図５のチャートＦＦ８：Ｑ参照）。フリップフロップＦＦ８の出力端Ｑから出力された信号は、フリップフロップＦＦ１０のデータ入力端Ｄに対して供給される。
【００７２】
フリップフロップＦＦ９は、データ入力端Ｄに対して供給された、加算平均回路（Ｒ）４３の出力端Ｑから出力された右目用補間映像Ｒ（ｎ＋１）ｎの映像信号を、上記周波数６０Ｈｚのクロックに従って保持し、同クロックの立ち上がりのタイミングにおいて、出力端Ｑから出力する（図５のチャートＦＦ９：Ｑ参照）。フリップフロップＦＦ９の出力端Ｑから出力された信号は、フリップフロップＦＦ５のデータ入力端Ｄに対して供給される。
【００７３】
フリップフロップＦＦ５に対しては、フリップフロップＦＦ３の出力端Ｑから出力された信号と、フリップフロップＦＦ９の出力端Ｑから出力された信号とが、データ入力端Ｄに対して供給される。フリップフロップＦＦ５は、データ入力端Ｄに対して供給された両信号を、周波数１２０Ｈｚのクロック（図５のチャートＣＫ１２０Ｈｚ参照）がインバータＩ２により論理反転された信号に従って保持する。
【００７４】
このとき、フリップフロップＦＦ５は、フリップフロップＦＦ３およびＦＦ９のそれに対して、２倍の周波数であるクロックが供給されていることになるため、フリップフロップＦＦ３およびＦＦ９からの上記両信号を、供給前の半分の信号周期で保持する。そして、この保持の順序は、Ｌ１、Ｒ２１、Ｌ２、Ｒ３２、・・・、換言すれば、左目用映像Ｌｎ、右目用補間映像Ｒ（ｎ＋１）ｎ、左目用映像Ｌ（ｎ＋１）、右目用補間映像Ｒ（ｎ＋２）（ｎ＋１）、・・・となる（図５のチャートＦＦ５：Ｄ参照）。
【００７５】
フリップフロップＦＦ１０に対しては、フリップフロップＦＦ４の出力端Ｑから出力された信号と、フリップフロップＦＦ８の出力端Ｑから出力された信号とが、データ入力端Ｄに対して供給される。フリップフロップＦＦ１０は、データ入力端Ｄに対して供給された両信号を、上記周波数１２０Ｈｚのクロックに従って保持する。
【００７６】
このとき、フリップフロップＦＦ１０は、フリップフロップＦＦ４およびＦＦ８のそれに対して、２倍の周波数であるクロックが供給されていることになるため、フリップフロップＦＦ４およびＦＦ８からの上記両信号を、供給前の半分の信号周期で保持する。そして、この保持の順序は、Ｒ１、Ｌ２１、Ｒ２、Ｌ３２、・・・、換言すれば、右目用映像Ｒｎ、左目用補間映像Ｌ（ｎ＋１）ｎ、右目用映像Ｒ（ｎ＋１）、左目用補間映像Ｌ（ｎ＋２）（ｎ＋１）、・・・となる（図５のチャートＦＦ１０：Ｄ参照）。
【００７７】
ここで、左目用補間映像Ｌ（ｎ＋２）（ｎ＋１）とは、左目用映像Ｌ（ｎ＋１）および左目用映像Ｌ（ｎ＋２）を補間するための左目用補間映像であり、右目用補間映像Ｒ（ｎ＋２）（ｎ＋１）とは、右目用映像Ｒ（ｎ＋１）および右目用映像Ｒ（ｎ＋２）を補間するための右目用補間映像である。さらに言えば、左目用補間映像Ｌ（ｎ＋２）（ｎ＋１）は、左目用補間映像Ｌ（ｎ＋１）ｎの次に、左目用補間映像Ｌ（ｎ＋１）ｎと同様の要領で生成される左目用補間映像であり、右目用補間映像Ｒ（ｎ＋２）（ｎ＋１）は、右目用補間映像Ｒ（ｎ＋１）ｎの次に、右目用補間映像Ｒ（ｎ＋１）ｎと同様の要領で生成される右目用補間映像である。このことは、何番目のフレームであるかを示すｎが、上述したとおり任意の自然数であることからも明らかである。
【００７８】
そして、フリップフロップＦＦ５は、上述した順序で保持した信号を、上記周波数１２０ＨｚのクロックをインバータＩ２により論理反転された信号の立ち上がりのタイミングにおいて、出力端Ｑから出力する（図５のチャートＦＦ５：Ｑ参照）。同様に、フリップフロップＦＦ１０は、上述した順序で保持した信号を、上記周波数１２０Ｈｚのクロックの立ち上がりのタイミングにおいて、出力端Ｑから出力する（図５のチャートＦＦ１０：Ｑ参照）。
【００７９】
フリップフロップＦＦ５の出力端Ｑから出力された信号と、フリップフロップＦＦ１０の出力端Ｑから出力された信号とは、フリップフロップＦＦ１１のデータ入力端Ｄに対して供給される。フリップフロップＦＦ１１は、データ入力端Ｄに対して供給された両信号を、周波数２４０Ｈｚのクロック（図５のチャートＣＫ２４０Ｈｚ参照）に従って保持する。
【００８０】
このとき、フリップフロップＦＦ１１は、フリップフロップＦＦ５およびＦＦ１０のそれに対して、２倍の周波数であるクロックが供給されていることになるため、フリップフロップＦＦ５およびＦＦ１０からの上記両信号を、供給前の半分の信号周期で保持する。そして、この保持の順序は、（Ｒ１）、Ｌ１、Ｌ２１、Ｒ２１、Ｒ２、Ｌ２、Ｌ３２、Ｒ３２、Ｒ３・・・、換言すれば、右目用映像Ｒｎ、左目用映像Ｌｎ、左目用補間映像Ｌ（ｎ＋１）ｎ、右目用補間映像Ｒ（ｎ＋１）ｎ、右目用映像Ｒ（ｎ＋１）、左目用映像Ｌ（ｎ＋１）、左目用補間映像Ｌ（ｎ＋２）（ｎ＋１）、右目用補間映像Ｒ（ｎ＋２）（ｎ＋１）、右目用映像Ｒ（ｎ＋２）、・・・となる（図５のチャートＦＦ１１：Ｄ参照）。なおここで、Ｒ１を括弧で囲った理由は、図８に示す３次元映像出力装置８０での出力順、すなわち、Ｌ１、Ｌ１、Ｒ１、Ｒ１、Ｌ２、Ｌ２、Ｒ２、Ｒ２との比較上の便宜のためである。
【００８１】
さらに、１フレーム周期が経過する度に、何番目のフレームであるかを示すｎは１ずつ増えることが明らかであるため、フリップフロップＦＦ１１からの信号の出力順は、右目用映像Ｒｎの出力後は、左目用映像Ｌｎ、左目用補間映像Ｌ（ｎ＋１）ｎ、右目用補間映像Ｒ（ｎ＋１）ｎ、右目用映像Ｒ（ｎ＋１）の繰り返しであると解釈することができる。
【００８２】
そして、フリップフロップＦＦ１１は、上述した順序で保持した信号を、上記周波数２４０Ｈｚのクロックの立ち上がりのタイミングにおいて、出力端Ｑから出力する（図５のチャートＦＦ１１：Ｑ参照）。フリップフロップＦＦ１１の出力端Ｑから出力された、図５のチャートＦＦ１１：Ｑに示した信号は、補間出力制御回路１２の出力としての、２４０Ｈｚの３次元映像信号である。
【００８３】
上記の構成によれば、補間出力制御回路１２は、左目用映像Ｌｎに加えて左目用補間映像Ｌ（ｎ＋１）ｎを用いて、また、右目用映像Ｒｎに加えて右目用補間映像Ｒ（ｎ＋１）ｎを用いて、３次元映像を生成する。これにより、３次元映像出力装置１０は、激しい動きを伴う３次元映像の表示を行うときに、動きを滑らかに表示することができるようになるため、表示される３次元映像の画質が低下したり、３次元映像の視聴者が、眼精疲労に伴う頭痛等を発生したりしてしまう虞を低減することが可能となる。
【００８４】
〔実施の形態２〕
（３次元映像出力装置２０の基本構成および信号処理の流れの概略）
図２は、本発明の別の実施の形態に係る３次元映像出力装置２０の基本構成を示すブロック図である。
【００８５】
図２に示す３次元映像出力装置（映像出力装置）２０は、図１に示す３次元映像出力装置１０の補間出力制御回路１２が、３Ｄ補間および出力タイミング制御回路（映像出力部）２２、すなわち補間出力制御回路２２へと変更された構成であり、それ以外の構成については、３次元映像出力装置１０と同様である。
【００８６】
３次元映像出力装置２０は、補間出力制御回路２２にて、第１左目用映像（第１左目フレーム）Ｌ１、第１左目用映像Ｌ１および第２左目用映像（第２左目フレーム）Ｌ２を補間するための左目用補間映像（左目用補間フレーム）Ｌ２１、第１右目用映像（第１右目フレーム）Ｒ１、第１右目用映像Ｒ１および第２右目用映像（第２右目フレーム）Ｒ２を補間するための右目用補間映像（右目用補間フレーム）Ｒ２１の順序で表示される、上記３次元映像を生成して、周波数２４０Ｈｚの３次元映像信号として出力（表示パネル１５に対して供給）する構成となっている。同様に、ｎが２以上である場合、３次元映像出力装置２０は、補間出力制御回路２２にて、左目用映像（第１左目フレーム）Ｌｎ、左目用映像Ｌｎおよび左目用映像（第２左目フレーム）Ｌ（ｎ＋１）を補間するための左目用補間映像（左目用補間フレーム）Ｌ（ｎ＋１）ｎ、右目用映像（第１右目フレーム）Ｒｎ、右目用映像Ｒｎおよび右目用映像（第２右目フレーム）Ｒ（ｎ＋１）を補間するための右目用補間映像（右目用補間フレーム）Ｒ（ｎ＋１）ｎの順序で表示される、上記３次元映像を生成して、周波数２４０Ｈｚの３次元映像信号として出力（表示パネル１５に対して供給）する構成となっている。上記のような構成の作用効果は、３次元映像出力装置１０と同様のことを意図している。
【００８７】
（３次元映像出力装置２０における信号処理の流れの詳細）
次に、図６および図７を参照して、３次元映像出力装置２０における信号処理の流れを、より詳細に説明する。
【００８８】
３Ｄ倍速処理部１１の具体的な構成例およびそこでの処理は、上述した、３次元映像出力装置１０と同じであるため、ここでは詳細な説明を省略する。
【００８９】
図６は、補間出力制御回路２２の具体的な構成例を示すブロック図である。
【００９０】
図７は、補間出力制御回路２２による信号処理の流れを示すタイミングチャートである。
【００９１】
図６に示すとおり、補間出力制御回路２２は、８個のフリップフロップＦＦａ〜ＦＦｈと、４個のインバータＩａ〜Ｉｄと、２個のＡＮＤ回路ＡａおよびＡｂと、加算平均回路（Ｌ）６２と、加算平均回路（Ｒ）６３とを備える構成である。
【００９２】
以下、補間出力制御回路２２と、図４に示した補間出力制御回路１２との、各部材の対応関係について簡単に説明する。
【００９３】
フリップフロップＦＦａ〜ＦＦｈのそれぞれは、フリップフロップＦＦ１〜ＦＦ１１のそれぞれと同じものが使用可能である。
【００９４】
インバータＩａ〜Ｉｄのそれぞれは、インバータＩ１〜Ｉ３のそれぞれと同じものが使用可能である。
【００９５】
ＡＮＤ回路ＡａおよびＡｂはいずれも、一般的な論理積回路である。
【００９６】
加算平均回路（Ｌ）６２は加算平均回路（Ｌ）４２と、加算平均回路（Ｒ）６３は加算平均回路（Ｒ）４３と、それぞれ同じものが使用可能である。
【００９７】
また、補間出力制御回路２２に対しては、図示しない各クロック源から、周波数６０Ｈｚのクロック、周波数１２０Ｈｚのクロック、および周波数２４０Ｈｚのクロックが供給されている。
【００９８】
周波数６０Ｈｚのクロックは、フリップフロップＦＦａ、ＦＦｂ、ＦＦｄ、およびＦＦｅ（の各クロック入力端ＣＫ）、インバータＩｂおよびＩｄ、ならびに、ＡＮＤ回路Ａａ（の一方の入力端）に対して供給される。インバータＩｂは、供給された周波数６０Ｈｚのクロックに対して論理反転処理を施し、ＡＮＤ回路Ａｂ（の一方の入力端）に対して供給する。インバータＩｄは、供給された周波数６０Ｈｚのクロックに対して論理反転処理を施し、フリップフロップＦＦｇ（のクロック入力端ＣＫ）に対して供給する。
【００９９】
周波数１２０Ｈｚのクロックは、インバータＩａおよびＩｃに対して供給される。インバータＩａは、供給された周波数１２０Ｈｚのクロックに対して論理反転処理を施し、ＡＮＤ回路Ａａ（の他方の入力端）に対して供給する。インバータＩｃは、供給された周波数１２０Ｈｚのクロックに対して論理反転処理を施し、ＡＮＤ回路Ａｂ（の他方の入力端）に対して供給する。
【０１００】
周波数２４０Ｈｚのクロックは、フリップフロップＦＦｈ（のクロック入力端ＣＫ）に対して供給される。
【０１０１】
また、ＡＮＤ回路Ａａは、一方の入力端に対して供給された、上記周波数６０Ｈｚのクロックと、他方の入力端に対して供給された、上記周波数１２０ＨｚのクロックがインバータＩａにより論理反転された信号との論理積を、フリップフロップＦＦｃ（のクロック入力端ＣＫ）に対して供給する。ＡＮＤ回路Ａｂは、一方の入力端に対して供給された、上記周波数６０ＨｚのクロックがインバータＩｂにより論理反転された信号と、他方の入力端に対して供給された、上記周波数１２０ＨｚのクロックがインバータＩｃにより論理反転された信号との論理積を、フリップフロップＦＦｆ（のクロック入力端ＣＫ）に対して供給する。
【０１０２】
補間出力制御回路２２への、信号線１４Ａからの左目用映像Ｌｎの映像信号（図７のチャートＬｎ参照）は、フリップフロップＦＦａのデータ入力端Ｄに対して供給される。なお、ここで言う左目用映像Ｌｎとは、図７に示すＬ１、Ｌ２、Ｌ３、・・・を意味しており、その映像信号の周波数は、上記３次元映像出力装置２０への入力映像信号と同じ６０Ｈｚである。
【０１０３】
フリップフロップＦＦａは、データ入力端Ｄに対して供給された左目用映像Ｌｎの映像信号を、周波数６０Ｈｚのクロック（図７のチャートＣＫ６０Ｈｚ参照）に従って保持し、同クロックの立ち上がりのタイミングにおいて、出力端Ｑから出力する（図７のチャートＦＦａ：Ｑ参照）。フリップフロップＦＦａの出力端Ｑから出力された信号は、フリップフロップＦＦｂのデータ入力端Ｄ、ならびに、加算平均回路（Ｌ）６２の一方の入力端Ａに対して供給される。
【０１０４】
フリップフロップＦＦｂは、データ入力端Ｄに対して供給された、フリップフロップＦＦａの出力端Ｑから出力された信号を、上記周波数６０Ｈｚのクロックに従って保持し、同クロックの立ち上がりのタイミングにおいて、出力端Ｑから出力する（図７のチャートＦＦｂ：Ｑ参照）。このとき、フリップフロップＦＦｂの出力端Ｑから出力された信号は、フリップフロップＦＦａの出力端Ｑから出力された信号に対して、同クロックの１周期分遅延された信号となって、フリップフロップＦＦｃのデータ入力端Ｄ、ならびに、加算平均回路（Ｌ）６２の他方の入力端Ｂに対して供給される。
【０１０５】
そして、加算平均回路（Ｌ）６２は、フリップフロップＦＦａの出力端Ｑから出力された信号（一方の入力端Ａに入力された信号）とフリップフロップＦＦｂの出力端Ｑから出力された信号（他方の入力端Ｂに入力された信号）との加算平均を求め、映像信号としての左目用補間映像Ｌ（ｎ＋１）ｎとして、出力端Ｑから出力する。なお、ここで言う左目用補間映像Ｌ（ｎ＋１）ｎとは、図７に示すＬ２１、Ｌ３２、Ｌ４３、・・・を意味している。加算平均回路（Ｌ）６２の出力端Ｑから出力された左目用補間映像Ｌ（ｎ＋１）ｎは、フリップフロップＦＦｄのデータ入力端Ｄに対して供給される。
【０１０６】
つまり、フリップフロップＦＦａおよびＦＦｂ、ならびに、加算平均回路（Ｌ）６２による以上の処理は、それぞれ、補間出力制御回路１２における、フリップフロップＦＦ１およびＦＦ２、ならびに、加算平均回路（Ｌ）４２による上述した処理と同様である。
【０１０７】
フリップフロップＦＦｃは、クロック入力端ＣＫに対して、上記周波数６０Ｈｚのクロックと、周波数１２０Ｈｚのクロック（図７のチャートＣＫ１２０Ｈｚ参照）が論理反転された信号（図７のチャート▲ＣＫ１２０Ｈｚ￣▼参照）との論理積（図７のチャートＣＫ６０Ｈｚ＆▲ＣＫ１２０Ｈｚ￣▼参照）が供給される。フリップフロップＦＦｃは、データ入力端Ｄに対して供給された、フリップフロップＦＦｂの出力端Ｑから出力された信号を、該論理積に従って保持し、同論理積の立ち上がりのタイミングにおいて、出力端Ｑから出力する（図７のチャートＦＦｃ：Ｑ参照）。このとき、フリップフロップＦＦｃの出力端Ｑから出力された信号は、フリップフロップＦＦｂの出力端Ｑから出力された信号に対して、周波数１２０Ｈｚのクロックの０．５周期分遅延された信号となって、フリップフロップＦＦｈのデータ入力端Ｄに対して供給される。
【０１０８】
フリップフロップＦＦｄは、データ入力端Ｄに対して供給された、加算平均回路（Ｌ）６２の出力端Ｑから出力された左目用補間映像Ｌ（ｎ＋１）ｎの映像信号を、上記周波数６０Ｈｚのクロックに従って保持し、同クロックの立ち上がりのタイミングにおいて、出力端Ｑから出力する（図７のチャートＦＦｄ：Ｑ参照）。フリップフロップＦＦｄの出力端Ｑから出力された信号は、フリップフロップＦＦｈのデータ入力端Ｄに対して供給される。
【０１０９】
補間出力制御回路２２への、信号線１４Ｂからの右目用映像Ｒｎの映像信号（図７のチャートＲｎ参照）は、フリップフロップＦＦｅのデータ入力端Ｄに対して供給される。なお、ここで言う右目用映像Ｒｎとは、図７に示すＲ１、Ｒ２、Ｒ３、・・・を意味しており、その映像信号の周波数は、上記３次元映像出力装置２０への入力映像信号と同じ６０Ｈｚである。
【０１１０】
フリップフロップＦＦｅは、データ入力端Ｄに対して供給された右目用映像Ｒｎの映像信号を、上記周波数６０Ｈｚのクロックに従って保持し、同クロックの立ち上がりのタイミングにおいて、出力端Ｑから出力する（図７のチャートＦＦｅ：Ｑ参照）。フリップフロップＦＦｅの出力端Ｑから出力された信号は、フリップフロップＦＦｆのデータ入力端Ｄ、ならびに、加算平均回路（Ｒ）６３の一方の入力端Ａに対して供給される。
【０１１１】
フリップフロップＦＦｆは、クロック入力端ＣＫに対して、上記周波数６０Ｈｚのクロックが論理反転された信号（図７のチャート▲ＣＫ６０Ｈｚ￣▼参照）と、上記周波数１２０Ｈｚのクロックが論理反転された信号との論理積（図７のチャート▲ＣＫ６０Ｈｚ￣▼＆▲ＣＫ１２０Ｈｚ￣▼参照）が供給される。フリップフロップＦＦｆは、データ入力端Ｄに対して供給された、フリップフロップＦＦｅの出力端Ｑから出力された信号を、該論理積に従って保持し、同論理積の立ち上がりのタイミングにおいて、出力端Ｑから出力する（図７のチャートＦＦｆ：Ｑ参照）。フリップフロップＦＦｆの出力端Ｑから出力された信号は、フリップフロップＦＦｈのデータ入力端Ｄ、ならびに、加算平均回路（Ｒ）６３の他方の入力端Ｂに対して供給される。
【０１１２】
そして、加算平均回路（Ｒ）６３は、フリップフロップＦＦｅの出力端Ｑから出力された信号（一方の入力端Ａに入力された信号）とフリップフロップＦＦｆの出力端Ｑから出力された信号（他方の入力端Ｂに入力された信号）との加算平均を求め、映像信号としての右目用補間映像Ｒ（ｎ＋１）ｎとして、出力端Ｑから出力する。なお、ここで言う右目用補間映像Ｒ（ｎ＋１）ｎとは、図７に示すＲ２１、Ｒ３２、Ｒ４３、・・・を意味している。加算平均回路（Ｒ）６３の出力端Ｑから出力された右目用補間映像Ｒ（ｎ＋１）ｎは、フリップフロップＦＦｇのデータ入力端Ｄに対して供給される。
【０１１３】
フリップフロップＦＦｇは、データ入力端Ｄに対して供給された、加算平均回路（Ｒ）６３の出力端Ｑから出力された右目用補間映像Ｒ（ｎ＋１）ｎの映像信号を、上記周波数６０Ｈｚのクロックが論理反転された信号に従って保持し、同信号の立ち上がりのタイミングにおいて、出力端Ｑから出力する（図７のチャートＦＦｇ：Ｑ参照）。フリップフロップＦＦｇの出力端Ｑから出力された信号は、フリップフロップＦＦｈのデータ入力端Ｄに対して供給される。
【０１１４】
フリップフロップＦＦｃ、ＦＦｄ、ＦＦｆ、およびＦＦｇのそれぞれの出力端Ｑから出力された信号はいずれも、フリップフロップＦＦｈのデータ入力端Ｄに対して供給される。フリップフロップＦＦｈは、データ入力端Ｄに対して供給された各信号を、周波数２４０Ｈｚのクロック（図７のチャートＣＫ２４０Ｈｚ参照）に従って保持する。
【０１１５】
このとき、フリップフロップＦＦｈによる、データ入力端Ｄに対して供給された上記各信号の保持の順序は、Ｌ１、Ｌ２１、Ｒ１、Ｒ２１、Ｌ２、Ｌ３２、Ｒ２、Ｒ３２、・・・、換言すれば、左目用映像Ｌｎ、左目用補間映像Ｌ（ｎ＋１）ｎ、右目用映像Ｒｎ、右目用補間映像Ｒ（ｎ＋１）ｎ、左目用映像Ｌ（ｎ＋１）、左目用補間映像Ｌ（ｎ＋２）（ｎ＋１）、右目用映像Ｒ（ｎ＋１）、右目用補間映像Ｒ（ｎ＋２）（ｎ＋１）、・・・となる（図７のチャートＦＦｈ：Ｄ参照）。
【０１１６】
さらに、１フレーム周期が経過する度に、何番目のフレームであるかを示すｎは１ずつ増えることが明らかであるため、フリップフロップＦＦｈからの信号の出力順は、左目用映像Ｌｎ、左目用補間映像Ｌ（ｎ＋１）ｎ、右目用映像Ｒｎ、右目用補間映像Ｒ（ｎ＋１）ｎの繰り返しであると解釈することができる。
【０１１７】
そして、フリップフロップＦＦｈは、上述した順序で保持した信号を、上記周波数２４０Ｈｚのクロックの立ち上がりのタイミングにおいて、出力端Ｑから出力する（図７のチャートＦＦｈ：Ｑ参照）。フリップフロップＦＦｈの出力端Ｑから出力された、図７のチャートＦＦｈ：Ｑに示した信号は、補間出力制御回路２２の出力としての、２４０Ｈｚの３次元映像信号である。
【０１１８】
上記の構成によれば、補間出力制御回路２２もまた、左目用映像Ｌｎに加えて左目用補間映像Ｌ（ｎ＋１）ｎを用いて、また、右目用映像Ｒｎに加えて右目用補間映像Ｒ（ｎ＋１）ｎを用いて、３次元映像を生成する。これにより、３次元映像出力装置２０もまた、激しい動きを伴う３次元映像の表示を行うときに、動きを滑らかに表示することができるようになるため、表示される３次元映像の画質が低下したり、３次元映像の視聴者が、眼精疲労に伴う頭痛等を発生したりしてしまう虞を低減することが可能となる。
【０１１９】
なお、３次元映像出力装置１０が出力する３次元映像信号と、３次元映像出力装置２０が出力する３次元映像信号との共通点は、左目用補間映像Ｌ（ｎ＋１）ｎが、それの作成に用いた左目用映像Ｌｎと左目用映像Ｌ（ｎ＋１）との間に挿入されており、同様に、右目用補間映像Ｒ（ｎ＋１）ｎが、それの作成に用いた右目用映像Ｒｎと右目用映像Ｒ（ｎ＋１）との間に挿入されている点である。
【０１２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２１】
本発明は、３次元映像処理装置、特に、３次元映像をより高画質で表示することが可能な映像出力装置に利用することができる。
【符号の説明】
【０１２２】
１０および２０  ３次元映像出力装置（映像出力装置）
１１  ３Ｄ倍速処理部（映像生成部）
１２および２２  ３Ｄ補間および出力タイミング制御回路（映像出力部）
１５  表示パネル
【図１】
2012015862.tif 000003
【図２】
2012015862.tif 000004
【図３】
2012015862.tif 000005
【図４】
2012015862.tif 000006
【図５】
2012015862.tif 000007
【図６】
2012015862.tif 000008
【図７】
2012015862.tif 000009
【図８】
2012015862.tif 000010
【図９】
2012015862.tif 000011